(57)【要約】【課題】乳児を抱いた時に、乳児がおくるみから下方にずれるおそれがなく、かつ、はだけることがないおくるみを提供する。【解決手段】袋状体（１）の上部には乳児の頭部を露出させる開口部（３）を設け、該袋状体の前部（９）には該前部を開閉するための第一開閉手段（１１）を備えさせ、該袋状体の底部（２１）を閉塞してなることを特徴とするおくるみ。袋状体（１）の上部には乳児の頭部を露出させる開口部（３）を設け、該袋状体の前部（９）には該前部を開閉するための第一開閉手段（１１）を備えさせ、該袋状体の底部（２１）には該底部を開閉するための第二開閉手段（２３）を備えさせたことを特徴とするおくるみ。【選択図】図１
2006124873.tif 000002
【特許請求の範囲】
【請求項１】
袋状体の上部には乳児の頭部を露出させる開口部を設け、該袋状体の前部には該前部を開閉するための第一開閉手段を備えさせ、該袋状体の底部を閉塞してなることを特徴とするおくるみ。
【請求項２】
袋状体の上部には乳児の頭部を露出させる開口部を設け、該袋状体の前部には該前部を開閉するための第一開閉手段を備えさせ、該袋状体の底部には該底部を開閉するための第二開閉手段を備えさせたことを特徴とするおくるみ。
【発明の詳細な説明】
【技術分野】
【０００１】
本発明は、乳児用のおくるみに関するものである。おくるみは、例えば、乳児を伴って外出する際に、乳児を包んで抱くため等に使用される。
【背景技術】
【０００２】
おくるみとしては、例えば図７に示すような略正方形状ないし略長方形状等の布片３１が従来より使用されている。
【０００３】
図７に示すおくるみとしての布片３１は、図８に示すように、乳児３３に巻き付けて使用される。
【０００４】
実用新案登録第３０８１４８８号公報は、略正方形状の布片に枕を取り外し自在に備えさせたおくるみを開示している。
【特許文献１】実用新案登録第３０８１４８８号公報
【発明の開示】
【発明が解決しようとする課題】
【０００５】
上記従来の各おくるみは、いずれも、略正方形状ないし略長方形状等の布片を乳児に巻き付けるようにしているため、乳児を抱いた時に、乳児がおくるみから下方にずれ、或いはおくるみがはだけるという問題が往々にして生ずる。
【０００６】
本発明は、上記従来のおくるみにおけるこのような問題を解決しようとしてなされたものである。
【課題を解決するための手段】
【０００７】
上記課題を解決するために、本発明は、下記のおくるみを提供する。
【０００８】
（１）袋状体の上部には乳児の頭部を露出させる開口部を設け、該袋状体の前部には該前部を開閉するための第一開閉手段を備えさせ、該袋状体の底部を閉塞してなることを特徴とするおくるみ（請求項１）。
【０００９】
（２）袋状体の上部には乳児の頭部を露出させる開口部を設け、該袋状体の前部には該前部を開閉するための第一開閉手段を備えさせ、該袋状体の底部には該底部を開閉するための第二開閉手段を備えさせたことを特徴とするおくるみ（請求項２）。
【００１０】
［発明の作用］
［請求項１の発明］
おくるみの使用時には、袋状体上部の開口部に乳児の頭部を露出させた状態で、乳児を袋状体内に入れる。乳児のオムツ交換等の際には、第一開閉手段により袋状体の前部を開閉する。袋状体の底部は常時閉塞されている。
【００１１】
［請求項２の発明］
おくるみの使用時には、袋状体上部の開口部に乳児の頭部を露出させた状態で、乳児を袋状体内に入れる。乳児のオムツ交換等の際には、第一開閉手段により袋状体の前部を開閉する。袋状体の底部は、必要に応じて、第二開閉手段により開閉することができる。
【発明の効果】
【００１２】
［請求項１の発明］
袋状体の底部は常時閉塞されているため、乳児を抱いた時に、乳児がおくるみから下方にずれるおそれはない。また、袋状体の前部を第一開閉手段により閉じておけば、おくるみがはだけることはない。
【００１３】
［請求項２の発明］
袋状体の底部を第二開閉手段により閉じておけば、乳児を抱いた時に、乳児がおくるみから下方にずれるおそれはない。また、袋状体の前部を第一開閉手段により閉じておけば、おくるみがはだけることはない。
【発明を実施するための最良の形態】
【００１４】
符号１に示すものは袋状体である。
【００１５】
袋状体１は、一例として、図２に示すように、外側部材１ａと内側部材１ｂとよりなる。外側部材１ａは、例えばニット、綿等により形成する。内側部材１ｂは、例えば綿、綿とアクリルとの混紡材等により形成する。内側部材１ｂは必ずしも必要ではない。
【００１６】
袋状体１の上部には乳児の頭部を露出させる開口部３を設ける。
【００１７】
図１に示す開口部３は、帽子部５を備えている。帽子部５は、取り外し自在であっても、取り外し不能であってもよい。図５に示す開口部３は、襟７を備えている。図３、図６に示す開口部３は、帽子部、襟のいずれも備えていない。
【００１８】
袋状体１の前部９には該前部９を開閉するための第一開閉手段１１を備えさせる。
【００１９】
図１に示す第一開閉手段１１は、スライドファスナー１１ａである。即ち、袋状体１の前部９における中央部に上下方向の切断部１３を形成し、該切断部１３にスライドファスナー１１ａを設け、該スライドファスナー１１ａにより前部９の中央部を開閉するようにしている。
【００２０】
図３に示す第一開閉手段１１は、ボタン又はホック１１ｂである。即ち、袋状体１の前部９における中央部に上下方向の切断部１５を形成し、該切断部１５にボタン又はホック１１ｂを備えさせ、該ボタン又はホック１１ｂにより前部９の中央部を開閉するようにしている。
【００２１】
図５に示す第一開閉手段１１は、面ファスナー１１ｃである。即ち、袋状体１の前部９における一側部に上下方向の切断部１７を形成し、該切断部１７に面ファスナー１１ｃを備えさせ、該面ファスナー１１ｃにより前部９を当該一側部から開閉するようにしている。
【００２２】
図６に示す開閉手段１１は、面ファスナー１１ｄである。即ち、袋状体１の前部９における両側部に上下方向の切断部１９、１９を形成し、該切断部１９、１９に面ファスナー１１ｄを備えさせ、該面ファスナー１１ｄにより前部９を上下方向に開閉するようにしている。
【００２３】
図１、図２、図５、図６に示す事例においては、袋状体１の底部２１を閉塞している。
【００２４】
図３、図４に示す事例においては、袋状体１の底部２１には該底部２１を開閉するための第二開閉手段２３を備えさせている。
【００２５】
図３、図４に示す事例においては、第二開閉手段２３は、スライドファスナーである。即ち、袋状体１の底部２１に左右方向の切断部２５を形成し、該切断部２５にスライドファスナー２３を備えさせ、該スライドファスナー２３により底部２１を開閉するようにしている。
【００２６】
符号２７に示すものは袖部である。なお、袖部２７は、必ずしも必要なものではなく、本発明によるおくるみには袖部２７を有しないものも含まれる。
【図面の簡単な説明】
【００２７】
【図１】本発明によるおくるみの一例を示す正面図である。
【図２】同上おくるみの底部を示す断面図である。
【図３】本発明によるおくるみの別の一例を示す正面図である。
【図４】同上おくるみの底部を示す底面図である。
【図５】本発明によるおくるみの更に別の一例を示す正面図である。
【図６】本発明によるおくるみの更に別の一例を示す正面図である。
【図７】従来のおくるみを示す平面図である。
【図８】同上おくるみの使用状態を示す正面図である。
【符号の説明】
【００２８】
１  袋状体
１ａ  外側部材
１ｂ  内側部材
３  開口部
５  帽子部
７  襟
９  前部
１１  第一開閉手段
１１ａ  スライドファスナー
１１ｂ  ボタン又はホック
１１ｃ  面ファスナー
１１ｄ  面ファスナー
１３  切断部
１５  切断部
１７  切断部
１９  切断部
２１  底部
２３  第二開閉手段
２５  切断部
２７  袖部
３１  布片
３３  乳児
【図１】
2006124873.tif 000003
【図２】
2006124873.tif 000004
【図３】
2006124873.tif 000005
【図４】
2006124873.tif 000006
【図５】
2006124873.tif 000007
【図６】
2006124873.tif 000008
【図７】
2006124873.tif 000009
【図８】
2006124873.tif 000010